(57)【特許請求の範囲】
【請求項１】
合成樹脂製の容器本体の底部に複数の突部を設け、前記底部に前記突部が埋設されるように滑り止め部材を溶着し、前記突部の先端は滑り止め部材から露出していることを特徴とする釣り用バケツ。
【請求項２】
容器本体は射出成形で形成して、前記突部は容器本体と一体に設けたことを特徴とする請求項１記載の釣り用バケツ。
【請求項３】
突部には先細り部が形成され、前記先細り部が滑り止め部材から突出していることを特徴とする請求項１または２記載の釣り用バケツ。
【発明の詳細な説明】
【０００１】
【発明の属する技術分野】
本発明は、容器本体の底部に複数の突部を設け滑り止め部材が容易に剥離しない釣り用バケツの改良に関する。
【０００２】
【従来の技術】
従来の釣り用バケツは、釣具入れや釣った魚を入れる他、撒き餌を作ったり、撒き餌を収納したりすることに使用されている。
これら釣り用バケツは、エチレン酢酸ビニ−ル等の合成樹脂のシ−トを張り合わせて容器本体を形成しているため、丈夫で軽く持ち運びに便利であるが、船上などに置いたときに滑りやすい。
そこで底面に滑り止めを設けた釣り用バケツが例えば実開平６−１９４６９号公報や特許第２７７９６１２号公報、特開平１１−２８９９４２号公報で提案されている。
これらの釣り用バケツは容器底面に滑り止めを貼着して設けているが、水辺で使用することが多く、置いたまま引きずることがあるため、単に貼着しただけでは剥がれてしまう虞がある。
【０００３】
【発明が解決しようとする課題】
解決しようとする問題点は、従来の釣り用バケツは、底面に滑り止めを設けたものが提案されているが、釣り用バケツは水辺で使用することが多く、また、置いて引きずることがあるため、単に貼着しただけでは剥がれてしまう虞があること。
【０００４】
本発明の目的は前記欠点に鑑み、容器本体の底部に複数の突部を設けて滑り止め部材が剥がれ難くした釣り用バケツを提供することである。
【０００５】
【課題を解決するための手段】
上記課題を解決するために、
請求項１に係わる本発明は、合成樹脂製の容器本体の底部に複数の突部を設け、前記底部に前記突部が埋設されるように滑り止め部材を溶着し、前記突部の先端は滑り止め部材から露出していることを要旨とするものである。
請求項２に係わる本発明は、容器本体は射出成形で形成して、前記突部は容器本体と一体に設けたことを要旨とするものである。
請求項３に係わる本発明は、突部には先細り部が形成され、前記先細り部が滑り止め部材から突出していることを要旨とするものである。
【０００６】
【発明の実施の形態】
本発明により、容器本体１の底部１ｂの裏面には突部１ｍ、１ｎが突出形成されて底部１ｂから側面１ａにかけて滑り止め部材２が溶着され、突部１ｍ、１ｎは滑り止め部材２に埋設されているため、止着面積が大きくなり滑り止め部材２が充分保持され、剥がれ難くなる。
突部１ｍ、１ｎが滑り止め部材２の中に食い込んで溶着埋設されているので、間に水が入ったり、接着剤が劣化して剥離することがない。
底部１ｂから側面１ａにかけて滑り止め部材２が溶着されているので、船上等で使用しているときに船が揺れても釣り用バケツが船上を滑り移動する虞がなくなる。
前記突部１ｍ、１ｎの先端は滑り止め部材２から露出しているため突部１ｍ、１ｎが地面に引っ掛かったり、食い込んだりして更に滑りが防止される。
【０００７】
以下、本発明の実施例を図面に基づき説明すると、図１は釣り用バケツの斜視図、図２は容器本体の底面図、図３は釣り用バケツの断面側面図と（ａ）開口縁部の拡大断面側面図で（ｂ）底部の一部拡大断面側面図である。
【０００８】
釣り用バケツは容器本体１の側面１ａと底部１ｂがエチレン酢酸ビニールや塩化ビニール等の合成樹脂の射出成形で一体に形成されている。
側面１ａは上方の開口部１ｃ側より底部１ｂ側が肉厚に形成されている。
容器本体１内側の側面１ａと底部１ｂの間には角部１ｄが形成され、この角部１ｄは両方の面を延長したときに成す角度を緩和するように両面を湾曲状にかけ渡すように設けて側面１ａから底部１ｂへ緩やかに変位させて繋いでいる。
【００１０】
容器本体１の開口部１ｃでは側面１ａの上部が外側に折り返されて側面１ａに縫着、接着、高周波溶着等で溶着して止着することで開口縁部ａが形成され、開口縁部ａの中に金属や合成樹脂等のフレ−ム３が包み込まれ、折り返しの端部１ｊは止着部１ｋより外方へ突出されている。
容器本体１は容器内部が滑らかな無段状に形成されて折り曲がらずに自立できる様に構成され、防水性を有しているが、容器本体１は折り曲げて折り畳み可能な柔軟性を有していてもよい。
容器本体１の開口部１ｃを覆う蓋体４を有し、蓋体４は容器本体１の開口部１ｃに沿って係止チャック５で係止可能である。
【００１１】
開口縁部ａの下側の折り返しの端部１ｊには係止チャック５の一方の帯布５ａが縫着されている。
係止チャック５の他方の帯布５ｂは蓋体４に縫着されて蓋体４で開口部１ｃが閉塞可能である。
それぞれ帯布５ａ、５ｂに固定された係合部５ｃ、５ｄは容器本体１の側面１ａ上部より上方に突出されて止着部１ｋと折り返しの端部１ｊは一方の帯布５ａで覆われている。
蓋体４は例えばエチレン酢酸ビニ−ル等の合成樹脂製シ−トで形成され防水性と柔軟性を有している。
【００１２】
容器本体１の側面１ａには吊り下げ具６、６が設けられている。
容器本体１の正面と裏面の両側面１ａに吊り下げ具６、６の支持体である板体７、７が直接、溶着により固定されて板体７、７の止着部７ａ、７ａに吊り下げ具６、６が回動して起立及び倒伏可能に取り付けられている。
板体７は例えばエチレン酢酸ビニ−ル等の合成樹脂製で容器本体１の素材より大きな厚味を有して硬く、板体部７ｂの両側に止着部７ａ、７ａが形成されている。
止着部７ａ、７ａには透孔７ｃが形成されている。
【００１３】
吊り下げ具６は、例えばエチレン酢酸ビニ−ル等の合成樹脂製でＵ字状をしており、柔軟性を有しながら、容器本体１の開口側に倒伏したり、上方側へ起立させた時でも真下に垂れ下がることなく、少なくとも形状が保持される程度の硬さを有している。
形状は握り部６ａと杆部６ｂ、６ｂとでＵ字状に形成され、杆部６ｂ、６ｂの先に蛇腹部６ｃ、６ｃと蛇腹部６ｃ、６ｃの先にル−プ部６ｄ、６ｄが形成されている。
ル−プ部６ｄ、６ｄは板体７の止着部７ａ、７ａの透孔７ｅ、７ｅに挿入されてル−プ部６ｄ、６ｄは鋲８で固定されている。
又、吊り下げ具６はこのようなハンドルに限らず、例えばショルダ−ベルトを設けても良い。
【００１４】
このように釣り用バケツが構成されて容器本体１の中に撒き餌９を入れて撒き餌杓１０で掬い出す時は蓋体４を開き、撒き餌杓８を挿し込んで掬い上げる。
この時、掬い上げた撒き餌９は容器本体１の側面１ａの内側に押し当てて撒き餌杓１０の中に固める。
容器本体１の素材は撒き餌杓１０で撒き餌９を側面１ａに押圧して撒き餌杓１０内に固めることが出来る程度の剛性を持たせるとよい。
容器本体１内に段差や溝がなく、側面１ａと底部１ｂの間を面取りした角部１ｄは湾曲状に形成されているので、収納した撒き餌９が残らないように撒き餌杓１０の杓部を角部１ｄの湾曲に沿わせて容易に掬い取りができる。
また、容器本体１内部を充分に洗浄することが容易になる。
【００２２】
容器本体１の底部１ｂの裏面には図２と同様にリブ状の枠からなる突部１ｍと多数の円柱状の突部１ｎが突出形成されていると共に、円柱状の突部１ｎに円錐状の先細り部１ｏが一体に形成されている。
薄肉部１ｈと角部１ｄと底部１ｂと突部１ｍ、１ｎの外側に容器本体１の素材より柔らかく、表面の摩擦係数が大きい同種又は異種の合成樹脂又は合成ゴム、天然ゴムから成る滑り止め部材２が射出成形による二重成形で一体的に固定されている。
即ち容器本体１の外側の底部１ｂから側面１ａにかけて滑り止め部材２が容着され、突部１ｍ、１ｎは滑り止め部材２に覆われて溶接され、先細り部１ｏは滑り止め部材２から突出されている。
【００２３】
滑り止め部材２から円錐状の先細り部１ｏが突出されていると、滑り止め部材２の効果に加え、先細り部１ｏが接地面に引っ掛かったり、食い込んだりして更に滑りが防止される。
【００２４】
前記説明では、容器本体１をエチレン酢酸ビニ−ルや塩化ビニ−ル等の合成樹脂の射出成形で側面１ａと底部１ｂを一体に形成されるように述べたが、合成樹脂のシ−ト材の側面と底部を張り合わせて一体に形成してもよい。
この時底部１ｂの突部は容器本体と別体に形成して取り付けてもよい。
【００２５】
【発明の効果】
本発明は、以上説明したような形態で実施され、以下に記載されるような効果を奏する。
【００２６】
容器本体の底部の裏面には突部が突出形成されて底部に滑り止め部材が溶着され、突部は滑り止め部材に埋設され、その先端が滑り止め部材から露出しているため、滑り止め部材が充分保持され、剥がれ難くなると共に、滑り止め部材により船上等で使用しているときに船が揺れても釣り用バケツが滑り移動する虞がなくなり、また、突部が接地面に引っ掛かったり、食い込んだりして更に滑りが防止できる。
【図面の簡単な説明】
【図１】釣り用バケツの斜視図である。
【図２】容器本体の底面図である。
【図３】釣り用バケツの断面側面図と（ａ）開口縁部の拡大断面側面図で（ｂ）底部の一部拡大断面側面図である。
【符号の説明】
１    容器本体
１ｂ    底部
１ｍ、１ｎ    突部
２      滑り止め部材
【図１】
0003741640.tif 000002
【図２】
0003741640.tif 000003
【図３】
0003741640.tif 000004